(57)【要約】【課題】ユーザに提供されるサービスの種類に応じて最適な画像処理を施すことにより、サービスに対する機能・性能を十分に引き出して、生産性を向上させるようにする。【解決手段】操作表示装置１０を使ってユーザが入力したサービス情報は、ＣＰＵ６に通知されると、そのサービスの動作プロセスのプログラムを実行し、サービスに応じた画像データを流すパスと画像処理の処理内容が決定される。サービスに応じて（１）第１の画像データ処理装置２のみで画像処理を施す場合と、（２）第１の画像データ処理装置２と第２の画像データ処理装置４の両者を組み合わせて画像処理を施す場合と、（３）第２の画像データ処理装置４のみで画像処理を施す場合とに制御され、最適な画像処理を行うことができる。【選択図】        図１
2010004460.tif 000002
【特許請求の範囲】
【請求項１】
原稿の画像を読み取って画像データを生成する画像読取手段と、
前記画像読取手段で生成された画像データに対して画像処理を行う第１の画像処理手段と、
前記第１の画像処理手段で処理された画像データを記憶する画像記憶手段と、
前記画像記憶手段に記憶された画像データに対して画像処理を行う第２の画像処理手段と、
前記第１の画像処理手段、前記画像記憶手段、および前記第２の画像処理手段の１つから画像データを出力する画像出力手段と、
を有する画像処理装置において、
前記画像処理装置を利用するユーザに提供される画像データの出力サービスを選択するサービス選択手段と、
前記サービス選択手段によって選択されたサービス内容に応じて、前記第１の画像処理手段のみで画像処理を施すか、前記第１の画像処理手段と前記第２の画像処理手段の両者を組み合わせて画像処理を施すか、前記第２の画像処理手段のみで画像処理を施すかの少なくとも一つを選び、画像処理を制御する画像処理制御手段と、
を備えたことを特徴とする画像処理装置。
【請求項２】
前記画像処理制御手段は、前記サービス選択手段によって選択されたサービスが前記画像読取手段で読み取った画像データを前記画像出力手段から出力するサービスの場合、前記第１の画像処理手段のみで画像処理を施すように制御することを特徴とする請求項１に記載の画像処理装置。
【請求項３】
前記画像処理制御手段は、前記サービス選択手段によって選択されたサービスが前記画像読取手段で読み取った画像データを前記画像出力手段から複数の出力先へ出力するサービスの場合、前記第１の画像処理手段と前記第２の画像処理手段の両者を組み合わせて画像処理を施すように制御することを特徴とする請求項１に記載の画像処理装置。
【請求項４】
前記画像読取手段で読み取った画像データを前記画像記憶手段に恒久蓄積する際の蓄積モードを選択する蓄積モード選択手段をさらに有し、
前記画像処理制御手段は、前記サービス選択手段によって選択されたサービスが前記画像読取手段で読み取った画像データを前記画像記憶手段に恒久蓄積しながら出力するサービスであって、かつ、前記蓄積モード選択手段によって選択された蓄積モードが再利用性を重視するモードである場合、前記第１の画像処理手段と前記第２の画像処理手段の両者を組み合わせて画像処理を施すように制御することを特徴とする請求項１に記載の画像処理装置。
【請求項５】
前記画像読取手段で読み取った画像データを前記画像記憶手段に恒久蓄積する際の蓄積モードを選択する蓄積モード選択手段をさらに有し、
前記画像処理制御手段は、前記サービス選択手段によって選択されたサービスが前記画像読取手段で読み取った画像データを前記画像記憶手段に恒久蓄積しながら出力するサービスであって、かつ、前記蓄積モード選択手段によって選択された蓄積モードが生産性を重視するモードである場合、前記第１の画像処理手段のみで画像処理を施すように制御することを特徴とする請求項１に記載の画像処理装置。
【請求項６】
前記画像処理制御手段は、前記サービス選択手段によって選択されたサービスが前記画像記憶手段に恒久蓄積された画像データを出力するサービスの場合には、前記第２の画像処理手段のみで画像処理を施すように制御することを特徴とする請求項１に記載の画像処理装置。
【請求項７】
前記画像処理制御手段は、
前記サービス選択手段によって前記画像読取手段で読み取った画像データを出力するサービスが選択され、前記第１の画像処理手段のみで画像処理を施すように制御する間に、前記サービス選択手段によって前記画像記憶手段に恒久蓄積された画像データを出力するサービスが選択され、前記第２の画像処理手段のみで画像処理を施すように制御する場合と、
前記サービス選択手段によって前記画像記憶手段に恒久蓄積された画像データを出力するサービスが選択され、前記第２の画像処理手段のみで画像処理を施すように制御する間に、前記サービス選択手段によって前記画像読取手段で読み取った画像データを出力するサービスが選択され、前記第１の画像処理手段のみで画像処理を施すように制御する場合と、
のいずれか一方により制御することを特徴とする請求項１に記載の画像処理装置。
【請求項８】
原稿の画像を読み取って画像データを生成する画像読取ステップと、
前記画像読取ステップで生成された画像データに対して画像処理を行う第１の画像処理ステップと、
前記第１の画像処理ステップで処理された画像データを記憶する画像記憶ステップと、
前記画像記憶ステップで記憶された画像データに対して画像処理を行う第２の画像処理ステップと、
前記第１の画像処理ステップ、前記画像記憶ステップ、および前記第２の画像処理ステップの１つから画像データを出力する画像出力ステップと、
を含む画像処理方法において、
前記画像処理方法を利用するユーザに提供される画像データの出力サービスを選択するサービス選択ステップと、
前記サービス選択ステップによって選択されたサービス内容に応じて、前記第１の画像処理ステップのみで画像処理を施すか、前記第１の画像処理ステップと前記第２の画像処理ステップの両者を組み合わせて画像処理を施すか、前記第２の画像処理ステップのみで画像処理を施すかの少なくとも一つを選び、画像処理を制御する画像処理制御ステップと、
をさらに含むことを特徴とする画像処理方法。
【発明の詳細な説明】
【技術分野】
【０００１】
本発明は、複写機、ファクシミリ、スキャナ、あるいはＭＦＰ（複写機、ファクシミリ、プリンタ、スキャナ等の機能を併せ持つ複合機）といった画像処理を行う装置に適用可能な画像処理装置および画像処理方法に関するものである。
【背景技術】
【０００２】
従来においては、入力した画像データに対して所定の画像処理を行い出力する２つの画像処理部を有し、画像処理情報を記載したヘッダー情報を画像データに付加し、付加したヘッダー情報に基づいて画像データの画像処理を行い、さらに処理後の画像データに情報を書き換えたヘッダーを付加する、という制御を行うことにより、多様な要求に対して画像処理の管理を容易にする制御方法を提供するものがある（特許文献１参照）。
【０００３】
また、画像入力機能と画像出力機能と画像変換機能と画像蓄積機能を有する画像処理装置において、一連の画像処理に必要なメモリの使い方に関する工夫をすることにより、多様な要求に対してスムーズな動作を可能とし、画像処理の並行動作の性能を向上させるものがある（特許文献２参照）。
【０００４】
さらに、同一の画像処理を行う複数の分割された画像データの処理を並行して行うことを可能とするとともに、回路規模の増加を抑えることで、コストアップおよび低消費電力化が達成可能な画像処理装置を提供するものがある（特許文献３参照）。
【０００５】
また、蓄積・保存した画像データに対して、第２の画像処理手段を設けて、ここで画像処理を行うことにより、処理速度を向上させるものがある（特許文献４参照）。
【０００６】
【特許文献１】特開２００５−２５９１７７号公報
【特許文献２】特開２００５−２７５８５７号公報
【特許文献３】特開２００６−１４０６０１号公報
【特許文献４】特開２００２−１１１９８８号公報
【発明の開示】
【発明が解決しようとする課題】
【０００７】
しかしながら、従来の画像処理装置にあっては、上記のように２つの画像処理装置を備えていたとしても、ユーザに提供されるサービスの種類に応じた最適な画像処理を施すものではなく、提供されるサービスに対して機能や性能を十分に引き出すことができないという問題があった。
【０００８】
本発明は、上記に鑑みてなされたものであって、ユーザに提供されるサービスの種類に応じて最適な画像処理を施すように自動制御することができる画像処理装置および画像処理方法を提供することを目的とする。
【課題を解決するための手段】
【０００９】
上述した課題を解決し、目的を達成するために、請求項１にかかる発明の画像処理装置は、原稿の画像を読み取って画像データを生成する画像読取手段と、前記画像読取手段で生成された画像データに対して画像処理を行う第１の画像処理手段と、前記第１の画像処理手段で処理された画像データを記憶する画像記憶手段と、前記画像記憶手段に記憶された画像データに対して画像処理を行う第２の画像処理手段と、前記第１の画像処理手段、前記画像記憶手段、および前記第２の画像処理手段の１つから画像データを出力する画像
出力手段と、を有する画像処理装置において、前記画像処理装置を利用するユーザに提供される画像データの出力サービスを選択するサービス選択手段と、前記サービス選択手段によって選択されたサービス内容に応じて、前記第１の画像処理手段のみで画像処理を施すか、前記第１の画像処理手段と前記第２の画像処理手段の両者を組み合わせて画像処理を施すか、前記第２の画像処理手段のみで画像処理を施すかの少なくとも一つを選び、画像処理を制御する画像処理制御手段と、を備えたことを特徴とする。
【００１０】
また、請求項２にかかる発明は、請求項１に記載の画像処理装置において、前記画像処理制御手段は、前記サービス選択手段によって選択されたサービスが前記画像読取手段で読み取った画像データを前記画像出力手段から出力するサービスの場合、前記第１の画像処理手段のみで画像処理を施すように制御することを特徴とする
【００１１】
また、請求項３にかかる発明は、請求項１に記載の画像処理装置において、前記画像処理制御手段は、前記サービス選択手段によって選択されたサービスが前記画像読取手段で読み取った画像データを前記画像出力手段から複数の出力先へ出力するサービスの場合、前記第１の画像処理手段と前記第２の画像処理手段の両者を組み合わせて画像処理を施すように制御することを特徴とする。
【００１２】
また、請求項４にかかる発明は、請求項１に記載の画像処理装置において、前記画像読取手段で読み取った画像データを前記画像記憶手段に恒久蓄積する際の蓄積モードを選択する蓄積モード選択手段をさらに有し、前記画像処理制御手段は、前記サービス選択手段によって選択されたサービスが前記画像読取手段で読み取った画像データを前記画像記憶手段に恒久蓄積しながら出力するサービスであって、かつ、前記蓄積モード選択手段によって選択された蓄積モードが再利用性を重視するモードである場合、前記第１の画像処理手段と前記第２の画像処理手段の両者を組み合わせて画像処理を施すように制御することを特徴とする。
【００１３】
また、請求項５にかかる発明は、請求項１に記載の画像処理装置において、前記画像読取手段で読み取った画像データを前記画像記憶手段に恒久蓄積する際の蓄積モードを選択する蓄積モード選択手段をさらに有し、前記画像処理制御手段は、前記サービス選択手段によって選択されたサービスが前記画像読取手段で読み取った画像データを前記画像記憶手段に恒久蓄積しながら出力するサービスであって、かつ、前記蓄積モード選択手段によって選択された蓄積モードが生産性を重視するモードである場合、前記第１の画像処理手段のみで画像処理を施すように制御することを特徴とする。
【００１４】
また、請求項６にかかる発明は、請求項１に記載の画像処理装置において、前記画像処理制御手段は、前記サービス選択手段によって選択されたサービスが前記画像記憶手段に恒久蓄積された画像データを出力するサービスの場合には、前記第２の画像処理手段のみで画像処理を施すように制御することを特徴とする。
【００１５】
また、請求項７にかかる発明は、請求項１に記載の画像処理装置において、前記画像処理制御手段は、前記サービス選択手段によって前記画像読取手段で読み取った画像データを出力するサービスが選択され、前記第１の画像処理手段のみで画像処理を施すように制御する間に、前記サービス選択手段によって前記画像記憶手段に恒久蓄積された画像データを出力するサービスが選択され、前記第２の画像処理手段のみで画像処理を施すように制御する場合と、前記サービス選択手段によって前記画像記憶手段に恒久蓄積された画像データを出力するサービスが選択され、前記第２の画像処理手段のみで画像処理を施すように制御する間に、前記サービス選択手段によって前記画像読取手段で読み取った画像データを出力するサービスが選択され、前記第１の画像処理手段のみで画像処理を施すように制御する場合と、のいずれか一方により制御することを特徴とする。
【００１６】
また、請求項８にかかる発明の画像処理方法は、原稿の画像を読み取って画像データを生成する画像読取ステップと、前記画像読取ステップで生成された画像データに対して画像処理を行う第１の画像処理ステップと、前記第１の画像処理ステップで処理された画像データを記憶する画像記憶ステップと、前記画像記憶ステップで記憶された画像データに対して画像処理を行う第２の画像処理ステップと、前記第１の画像処理ステップ、前記画像記憶ステップ、および前記第２の画像処理ステップの１つから画像データを出力する画像出力ステップと、を含む画像処理方法において、前記画像処理方法を利用するユーザに提供される画像データの出力サービスを選択するサービス選択ステップと、前記サービス選択ステップによって選択されたサービス内容に応じて、前記第１の画像処理ステップのみで画像処理を施すか、前記第１の画像処理ステップと前記第２の画像処理ステップの両者を組み合わせて画像処理を施すか、前記第２の画像処理ステップのみで画像処理を施すかの少なくとも一つを選び、画像処理を制御する画像処理制御ステップと、をさらに含むことを特徴とする。
【発明の効果】
【００１７】
本発明によれば、画像読取手段で原稿の画像を読み取った画像データに対して、第１の画像処理手段により画像処理を行って画像記憶手段に記憶し、その画像記憶手段に記憶された画像データに対して第２の画像処理手段により画像処理が行われ、画像出力手段により第１の画像処理手段、画像記憶手段、および前記第２の画像処理手段の１つから画像データを出力する。画像処理装置を利用するユーザに提供される画像データの出力サービスがサービス選択手段により選択されると、画像処理制御手段は、選択されたサービスに応じて、第１の画像処理手段のみで画像処理を施すか、第１の画像処理手段と第２の画像処理手段の両者を組み合わせて画像処理を施すか、第２の画像処理手段のみで画像処理を施すかの少なくとも一つを選んで、画像処理を行うように制御する。このように、ユーザに提供されるサービスの種類に応じて、最適な画像処理が施されるよう自動制御するため、提供されるサービスに対して機能や性能を十分に引き出すことができるという効果を奏する。
【発明を実施するための最良の形態】
【００１８】
以下に添付図面を参照して、この発明にかかる画像処理装置および画像処理方法の最良な実施の形態について詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。この実施の形態では、画像処理装置として画像形成装置、特に複写機、スキャナ、プリンタ、およびファクシミリ装置等の複数の機能を複合したデジタル複合機（ＭＦＰ）を用いた例について説明する。
【００１９】
図１は、本発明の実施の形態にかかるデジタル複合機のハードウェア構成例を示すブロック図である。図１に示すデジタル複合機１００は、画像読取手段としての読取り装置１、第１の画像処理手段としての第１の画像データ処理装置２、バス制御装置３、第２の画像処理手段としての第２の画像データ処理装置４、画像記憶手段としてのＨＤＤ５、画像処理制御手段としてのＣＰＵ６、画像記憶手段としてのメモリ７、画像出力手段としてのプロッタＩ／Ｆ装置８、画像出力手段としてのプロッタ装置９、サービス選択手段および蓄積モード選択手段としての操作表示装置１０、画像出力手段としての回線Ｉ／Ｆ装置１１、画像出力手段としての外部Ｉ／Ｆ装置１２、Ｓ．Ｂ．１３、およびＲＯＭ１４などを備えている。
【００２０】
読取り装置１は、ＣＣＤ光電変換素子からなるラインセンサと、Ａ／Ｄコンバータと、それらの駆動回路とを具備しており、セットされた原稿を走査して得られる原稿の濃淡情
報から、ＲＧＢの各８ｂｉｔの画像データを生成し出力する。なお、本実施の形態における読取り装置１は、副走査方向に走査する速度を変えることによって、副走査方向の画像の変倍率を変えることができる（以下、副走査メカ変倍と称する）。
【００２１】
第１の画像データ処理装置２は、読取り装置１からの画像データに対してデジタル複合機１００が提供するサービスの種類に応じて適切な処理（例えば、γ処理、フィルタ処理、色変換処理、変倍処理、階調処理など）を施す。
【００２２】
バス制御装置３は、デジタル複合機１００内で必要な画像データや制御コマンド等の各種データをやり取りするデータバスの制御装置であって、複数種のバス規格間のブリッジ機能も備えている。本実施の形態では、第１の画像データ処理装置２と、第２の画像データ処理装置４と、ＣＰＵ６との間は、ＰＣＩ−Ｅｘｐｒｅｓｓバスで接続され、ＨＤＤ５との間は、ＡＴＡバスで接続され、ＡＳＩＣ化されている。
【００２３】
第２の画像データ処理装置４は、第１の画像データ処理装置２で適切な画像処理が施された画像データに対して、第２の画像データ処理装置４としてさらに適切な処理（例えば、フィルタ処理、色変換処理、変倍処理、階調処理など）を施すものである。
【００２４】
ＨＤＤ（ハードディスクドライブ）５は、デスクトップパソコンなどでも使用されている電子データを保存するための大容量の記憶装置であって、デジタル複合機１００内では主に画像データおよび画像データの付帯情報等を蓄積する。なお、本実施の形態では、ＩＤＥを拡張して規格化されたＡＴＡバス接続のハードディスクを使用している。
【００２５】
ＣＰＵ６は、本デジタル複合機全体の制御を司るマイクロプロセッサである。本実施の形態では、近年普及してきたＣＰＵコア単体に＋αの機能を追加したＩｎｔｅｇｒａｔｅｄ  ＣＰＵを使用している。例えば、ＰＭＣ社のＲＭ１１１００で汎用規格Ｉ／Ｆとの接続機能、あるいはクロスバースイッチを使ったこれらバス接続機能がインテグレートされたＣＰＵを使用している。
【００２６】
メモリ７は、複数種のバス規格間をブリッジする際の速度差や、接続された部品自体の処理速度差を吸収するために、一時的にやりとりするデータを記憶したり、ＣＰＵ６がデジタル複合機１００の制御を行う際に、プログラムや中間処理データを一時的に記憶したりする揮発性メモリである。ＣＰＵ６では、高速処理が求められるため、通常起動時にＲＯＭ１４に記憶されたブートプログラムにてシステムを起動し、その後は高速にアクセス可能なメモリ７に展開されたプログラムによって処理が行われる。本実施の形態では、規格化されパーソナルコンピュータに使用されているＤＩＭＭ（Double Inline Memory Module）を使用している。
【００２７】
プロッタＩ／Ｆ装置８は、ＣＰＵ６にインテグレートされた汎用規格Ｉ／Ｆ経由で送られてくるＣＭＹＫからなる画像データを受け取ると、プロッタ装置９の専用Ｉ／Ｆに出力するバスブリッジ処理を行う。本実施の形態で使用している汎用規格Ｉ／Ｆは、ＰＣＩ−Ｅｘｐｒｅｓｓバスである。
【００２８】
プロッタ装置９は、ＣＭＹＫからなる画像データを受け取ると、レーザービームを用いた電子写真プロセスを使って、転写紙に受け取った画像データを出力する。
【００２９】
Ｓ．Ｂ．１３は、パーソナルコンピュータに使用されるチップセットのひとつであり、Ｓｏｕｔｈ  Ｂｒｉｄｇｅと呼ばれる汎用の電子デバイスである。主にＰＣＩ−ＥｘｐｒｅｓｓとＩＳＡブリッジを含むＣＰＵシステムを構築する際によく使用されるバスのブリッジ機能を汎用回路化したもので、本実施の形態ではＲＯＭ１４との間をブリッジしてい
る。
【００３０】
ＲＯＭ１４は、ＣＰＵ６がデジタル複合機１００の制御を行う際のプログラム（ブートプログラムを含む）が格納されたメモリである。
【００３１】
操作表示装置１０は、デジタル複合機１００とユーザとのインターフェースを行う部分であり、ＬＣＤ（液晶表示装置）とキースイッチとから構成されており、装置の各種状態や操作方法をＬＣＤに表示し、ユーザからのキースイッチ入力を検知する。本実施の形態では、ＰＣＩ−Ｅｘｐｒｅｓｓバスを介してＣＰＵ６と接続されている。
【００３２】
回線Ｉ／Ｆ装置１１は、ＰＣＩ−Ｅｘｐｒｅｓｓバスと電話回線とを接続する装置であり、この装置によりデジタル複合機１００は電話回線を介して各種データのやり取りを行うことが可能となる。この回線Ｉ／Ｆ装置１１は、画像出力手段としての機能を果たしている。装置外に設けられたＦＡＸ１５は、通常のファクシミリ装置であって、電話回線を介してデジタル複合機１００との間で画像データを授受することができる。
【００３３】
外部Ｉ／Ｆ装置１２は、ＰＣＩ−Ｅｘｐｒｅｓｓバスと外部装置とを接続する装置であり、この装置によりデジタル複合機１００は、外部装置と各種データのやり取りを行うことが可能になる。本実施の形態では、その接続Ｉ／Ｆにネットワーク（イーサネット（登録商標））を使用している。すなわち、デジタル複合機１００は、外部Ｉ／Ｆ装置１２を介してネットワークに接続されている。この外部Ｉ／Ｆ装置１２は、画像出力手段としての機能を果たしている。装置外に設けられたＰＣ１６は、いわゆるパーソナルコンピュータであって、これにインストールされたアプリケーションソフトやドライバを介して、ユーザはデジタル複合機１００に対して各種制御や画像データの入出力を行うことができる。
【００３４】
また、このデジタル複合機１００がユーザへ提供するサービスとしては、コピーサービス、プリンタサービス、スキャナ配信サービス、ＦＡＸ送信サービス、Ｄ−ＢＯＸ（ドキュメントボックス）サービス、コピー＋Ｄ−ＢＯＸサービス、スキャナ配信＋Ｄ−ＢＯＸサービス、ＦＡＸ送信＋Ｄ−ＢＯＸサービス等がある。
【００３５】
コピーサービスとは、読取り装置１に原稿の画像を読み取らせた画像データを、第１の画像データ処理装置２あるいは第２の画像データ処理装置４によって画像処理を施した後、プロッタ装置９に送り、用紙上に可視画像として印刷させるサービスのことである。
【００３６】
また、プリンタサービスとは、ＰＣ１６からの文字コードまたは描画データ等の印刷データを画像データに展開してプロッタ装置９に送り、用紙上に可視画像として印刷させるサービスのことである。
【００３７】
スキャナ配信サービスとは、読取り装置１に原稿の画像を読み取らせた画像データを、第１の画像データ処理装置２あるいは第２の画像データ処理装置４によって画像処理を施した後、外部Ｉ／Ｆ装置１２によって電子メール等で予め設定されたＰＣ１６等の外部機器へ配信させるサービスのことである。また、ＰＣ１６からの遠隔操作によって、読取り装置１に原稿の画像を読み取らせ、その画像データを外部Ｉ／Ｆ装置１２を介して遠隔操作を行ったＰＣ１６に画像を取り込むリモートスキャンサービスもある。
【００３８】
ＦＡＸ送信サービスとは、読取り装置１に原稿の画像を読み取らせた画像データを、第１の画像データ処理装置２あるいは第２の画像データ処理装置４によって画像処理を施した後、回線Ｉ／Ｆ装置１１によって予め設定されたＦＡＸ１５等の外部機器へＦＡＸ送信したり、ＨＤＤ５に蓄積済みの画像データを同様に予め設定された外部機器へＦＡＸ送信
したりするサービスのことである。なお、ＦＡＸ送信には、ユーザがサービス利用時に相手機（外部機器）とリアルタイムにネゴシエーションして送信するＦＡＸ直接送信サービスと、ユーザがサービス利用時にとりあえずデジタル複合機１００内のメモリ７等に蓄積しておき、あるタイミングで相手機（外部機器）とネゴシエーションして送信するＦＡＸメモリ送信サービスとがある。
【００３９】
Ｄ−ＢＯＸサービスとは、読取り装置１に原稿の画像を読み取らせ、その画像データをＨＤＤ５に蓄積したり、ＨＤＤ５に蓄積済みの画像データをプロッタ装置９に送り、用紙上に可視画像として印刷させる動作を行わせたり、上記蓄積済みの画像データを外部Ｉ／Ｆ装置１２によって電子メール等で予め設定されたＰＣ１６等の外部機器へ配信させたり、上記蓄積済みの画像データを回線Ｉ／Ｆ装置１１によって予め設定されたＦＡＸ１５等の外部機器へＦＡＸ送信させたりするサービスのことである。
【００４０】
コピー＋Ｄ−ＢＯＸサービスとは、読取り装置１に原稿の画像を読み取らせ、その画像データをＨＤＤ５に蓄積しながら、その画像データをプロッタ装置９に送り、用紙上に可視画像として印刷させるサービスのことである。
【００４１】
スキャナ配信＋Ｄ−ＢＯＸサービスとは、読取り装置１に原稿の画像を読み取らせ、その画像データをＨＤＤ５に蓄積しながら、その画像データを外部Ｉ／Ｆ装置１２によって電子メール等で予め設定されたＰＣ１６等の外部機器へ配信させるサービスのことである。
【００４２】
ＦＡＸ送信＋Ｄ−ＢＯＸサービスとは、読取り装置１に原稿の画像を読み取らせ、その画像データをＨＤＤ５に蓄積しながら、その画像データを回線Ｉ／Ｆ装置１１によって予め設定されたＦＡＸ１５等の外部機器へＦＡＸ送信させるサービスのことである。
【００４３】
本実施の形態にかかる画像処理装置としてのデジタル複合機は、以上のように構成されており、以下の各実施の形態において特徴的な構成および動作を説明する。
【００４４】
（第１の実施の形態）
第１の実施の形態では、デジタル複合機１００がユーザへ提供する任意のサービスを利用する場合について説明する。例えば、デジタル複合機１００のユーザが所望するサービス［Ｓ］を選択した場合は、必要に応じて原稿を読取り装置１にセットし、出力条件等の諸設定、およびサービス開始の入力を操作表示装置１０に対して行う。
【００４５】
操作表示装置１０は、ユーザから入力された情報を、機器内部の制御コマンドデータに変換し発行する。発行された制御コマンドデータは、ＰＣＩ−Ｅｘｐｒｅｓｓバスを介してＣＰＵ６に通知される。ＣＰＵ６は、サービス開始の制御コマンドデータに従って、サービス［Ｓ］の動作プロセスのプログラムを実行し、サービス［Ｓ］に応じた画像データを流すパス（経路）と画像処理の処理内容を決定する。
【００４６】
このデジタル複合機１００の構成における画像処理の態様としては、以下の３種類が考えられる。（１）第１の画像データ処理装置２のみで画像処理を施す場合、（２）第１の画像データ処理装置２と第２の画像データ処理装置４の両者を組み合わせて画像処理を施す場合、および（３）第２の画像データ処理装置４のみで画像処理を施す場合である。
【００４７】
以下にそのプロセスを順に説明する。まず、（１）の第１の画像データ処理装置２のみで画像処理を施す場合については、読取り装置１で原稿をスキャンして得られた画像データは、第１の画像データ処理装置２により、ユーザから指定された出力先や出力条件等に適した画像処理を施され、バス制御装置３に送られる。バス制御装置３では、第１の画像
データ処理装置２からの画像データを受け取ると、ＣＰＵ６を介してメモリ７に蓄積する。
【００４８】
このメモリ７に蓄積された画像データは、印刷するならばＣＰＵ６およびプロッタＩ／Ｆ装置８を介して、プロッタ装置９に送られる。プロッタ装置９は、受け取った画像データを転写紙に出力し、原稿のコピーが生成される。外部へ送信するならばＣＰＵ６および回線Ｉ／Ｆ装置１１、または外部Ｉ／Ｆ装置１２を介してデジタル複合機１００の外部へ送信される。
【００４９】
次に、（２）の第１の画像データ処理装置２と第２の画像データ処理装置４の両者を組み合わせて画像処理を施す場合については、＜単一の出力の場合＞と＜複数の出力の場合＞とに分けることができる。
【００５０】
＜単一の出力の場合＞
単一の出力の場合において、読取り装置１で原稿をスキャンして得られた画像データは、第１の画像データ処理装置２で、予め定めた特性に統一する画像処理を施してバス制御装置３に送られる。バス制御装置３は、第１の画像データ処理装置２からの画像データを受け取ると、ＣＰＵ６を介してメモリ７に蓄積する。なお、サービス［Ｓ］によっては、必要に応じてメモリ７に蓄積された画像データをＨＤＤ５に恒久蓄積する場合もある。
【００５１】
続いて、メモリ７に蓄積された画像データは、ＣＰＵ６およびバス制御装置３を介して、第２の画像データ処理装置４に送られる。第２の画像データ処理装置４は、受け取った画像データに対して、ユーザから指定された出力先や出力条件に適した画像処理を施し、バス制御装置３に送る。バス制御装置３は、第２の画像データ処理装置４からの画像データを受け取ると、ＣＰＵ６を介してメモリ７に蓄積する。なお、サービス［Ｓ］によっては、必要に応じてメモリに蓄積された画像データをＨＤＤ５に恒久蓄積する場合もある。
【００５２】
メモリ７に蓄積された画像データは、印刷するならばＣＰＵ６およびプロッタＩ／Ｆ装置８を介して、プロッタ装置９に送られる。プロッタ装置９は、受け取った画像データを転写紙に出力し、原稿のコピーが生成される。外部へ送信するならばＣＰＵ６および回線Ｉ／Ｆ装置１１、または外部Ｉ／Ｆ装置１２を介してデジタル複合機１００の外部へ送信される。
【００５３】
＜複数の出力の場合＞  
複数の出力の場合における全体動作の概要について説明する。読取り装置１から第１の画像データ処理装置２で画像処理され、メモリ７に蓄積されるまでの処理は、全ての出力に対して共通の処理が施される。その後、メモリ７から読み出した画像データを第２の画像データ処理装置４で画像処理され、プロッタＩ／Ｆ装置８、回線Ｉ／Ｆ装置１１、または外部Ｉ／Ｆ装置１２における処理は、出力毎にそれぞれ施される。以下、その詳細動作について説明する。
【００５４】
読取り装置１で原稿をスキャンして得られた画像データは、第１の画像データ処理装置２で、予め定めた特性に統一する画像処理を施してバス制御装置３に送られる。バス制御装置３は、第１の画像データ処理装置２からの画像データを受け取ると、ＣＰＵ６を介してメモリ７に蓄積される。なお、サービス［Ｓ］によっては、必要に応じてメモリに蓄積された画像データをＨＤＤ５に恒久蓄積する。
【００５５】
ここまでの処理は全ての出力に対して共通であり、これ以降の処理は出力毎にそれぞれ行われる。メモリ７に蓄積された画像データは、ＣＰＵ６およびバス制御装置３を介して、第２の画像データ処理装置４に送られる。第２の画像データ処理装置４は、受け取った
画像データに対して、ユーザから指定された出力先や出力条件に適した画像処理を施し、バス制御装置３に送る。バス制御装置３は、第２の画像データ処理装置４からの画像データを受け取ると、ＣＰＵ６を介してメモリ７に蓄積する。なお、サービス［Ｓ］の種類によっては、必要に応じてメモリ７に一時的に蓄積された画像データをＨＤＤ５に恒久蓄積する。
【００５６】
続いて、メモリ７に蓄積された画像データは、印刷するならばＣＰＵ６およびプロッタＩ／Ｆ装置８を介して、プロッタ装置９に送られる。プロッタ装置９は、受け取った画像データを転写紙に出力し、原稿のコピーが生成される。外部へ送信するならば、ＣＰＵ６および回線Ｉ／Ｆ装置１１、または外部Ｉ／Ｆ装置１２を介してデジタル複合機１００の外部へ送信される。
【００５７】
次に、（３）の第２の画像データ処理装置４のみで画像処理を施す場合については、ＨＤＤ５に恒久蓄積された対象の画像データ（ユーザに選択された画像データ）は、ＣＰＵ６およびバス制御装置３を介して、メモリ７に蓄積される。メモリ７に蓄積された画像データは、ＣＰＵ６およびバス制御装置３を介して、第２の画像データ処理装置４に送られる。
【００５８】
第２の画像データ処理装置４は、受け取った画像データに対して、ユーザから指定された出力先や出力条件に適した画像処理を施して、バス制御装置３に送る。バス制御装置３は、第２の画像データ処理装置４からの画像データを受け取ると、ＣＰＵ６を介してメモリ７に蓄積する。
【００５９】
メモリ７に蓄積された画像データは、印刷するならばＣＰＵ６およびプロッタＩ／Ｆ装置８を介して、プロッタ装置９に送られる。プロッタ装置９は、受け取った画像データを転写紙に出力し、原稿のコピーが生成される。外部へ送信する場合は、ＣＰＵ６および回線Ｉ／Ｆ装置１１、あるいは外部Ｉ／Ｆ装置１２を介してデジタル複合機１００の外部へ送信される。
【００６０】
以上説明したように、第１の実施の形態によれば、様々なサービスに応じた最適な制御を自動的に行うことにより、各サービスに対する機能・性能を十分に引き出すことができる。本発明における「様々なサービス（に応じた最適な制御）」とは、本発明にかかる画像処理装置が提供するサービスであって、「画像データの恒久蓄積を含まないサービス」と「画像データの恒久蓄積を含むサービス」の２種類に大別することができる。
【００６１】
＜画像データの恒久蓄積を含まないサービス＞
このサービスは、基本的にサービス利用後の結果として画像データが恒久的に蓄積されないため、画像データが再利用されることも有り得ない。したがって、この種のサービスにおいては、画像データの再利用性を考慮する必要はなく、サービス利用時における生産性を向上させることがユーザに対する価値となる。このため、機能性を損なうことなくできるだけ生産性を向上させるように制御する。ただし、必要であれば画像データの再利用性を考慮した制御をすることを視野に入れても良い。例えば、複数の送出先へ画像データを出力する場合などである。
【００６２】
＜画像データの恒久蓄積を含むサービス＞
このサービスは、サービス利用後の結果として画像データが恒久的に蓄積されるため、画像データを再利用することを前提にする必要がある。ただし、“再利用”に要求される内容が、「蓄積時点と同じ条件であれば、機能的な制約なしに高画質を維持しながら出力したいレベル」と、「蓄積時点とは異なる条件であっても、機能的な制約なしに高画質を維持しながら出力したいレベル」とでは大きく異なる。また、これらの要求レベルはユー
ザ毎に異なるため、どちらにも対応することが求められる。したがって、それぞれの要求レベルに応じて生産性と再利用性とを考慮して制御するようにする。
【００６３】
このように、第１の実施の形態によれば、様々なサービスに応じて最適な制御を自動的に行うことにより、各サービスに対する機能・性能を十分に引き出すことが可能となり、使い易くなると共に、生産性を向上させることができる。
【００６４】
（第２の実施の形態）
第２の実施の形態にかかるデジタル複合機１００は、読取り装置１で読み取った画像データを出力するサービスとしては、コピー、スキャナ配信、ＦＡＸ送信等がこれに相当する。これらのうち、第２の実施の形態では、「ＦＡＸ直接送信サービス」と「リモートスキャンサービス」を利用する場合について説明する。
【００６５】
＜ＦＡＸ直接送信サービスを利用する場合＞
まず、ユーザは原稿を読取り装置１にセットし、所望するモード等の設定と、ＦＡＸ直接送信サービス開始の入力を操作表示装置１０に対して行う。操作表示装置１０は、ユーザから入力された情報を、機器内部の制御コマンドデータに変換して発行する。発行された制御コマンドデータは、ＰＣＩ−Ｅｘｐｒｅｓｓバスを介してＣＰＵ６に通知される。
【００６６】
ＣＰＵ６は、ＦＡＸ直接送信サービス開始の制御コマンドデータに従って、サービスプロセスのプログラムを実行し、画像データを流すパス（経路）と画像処理の処理内容を決定する。このＦＡＸ直接送信サービスは、上記した「（１）の第１の画像データ処理装置２のみで画像処理を施す場合」と決定する。以下に、その動作プロセスを説明する。
【００６７】
図１の読取り装置１で原稿をスキャンする前に、回線Ｉ／Ｆ装置１１を介して相手機であるＦＡＸ１５とネゴシエーションすることにより、相手機の装置能力情報を取得した後、読取り装置１により原稿のスキャンを開始する。
【００６８】
読取り装置１で原稿をスキャンして得られたＲＧＢの各８ｂｉｔのデジタル画像データは、第１の画像データ処理装置２によりユーザから指定された出力先や出力条件等に適した画像処理が施され、バス制御装置３に送られる。
【００６９】
図２は、第１の画像データ処理装置における各処理ブロック例を示す図である。図２に示すように、第１の画像データ処理装置２は、γ変換部３０、フィルタ処理部３１、色変換部３２、変倍処理部３３、および階調処理部３４などを備えている。
【００７０】
まず、γ変換部３０は、読取り装置１から受け取ったＲＧＢ画像データの明るさの特性が適切となるように変換する。第２の実施の形態では、明度がリニアな特性となるように変換する。
【００７１】
フィルタ処理部３１は、ＲＧＢ画像データの鮮鋭性をＦＡＸ送信する場合の再現性が良くなるように補正する。具体的には、所望するモード情報に従って鮮鋭化／平滑化処理を施す。例えば、文字モードでは、文字をハッキリ／クッキリとするために鮮鋭化処理を施し、写真モードでは、滑らかに階調性を表現するために平滑化処理を施すようにする。
【００７２】
色変換部３２は、ＲＧＢの各８ｂｉｔのデータを受け取ると、ＦＡＸ装置で一般的な単色（モノクロ）８ｂｉｔに変換する。
【００７３】
変倍処理部３３は、モノクロ画像データのサイズ（解像度）を、ＦＡＸ装置で送受されるサイズ（解像度）に変換する。第２の実施の形態では、主走査方向＝２００ｄｐｉに変
換する。なお、副走査方向＝１００ｄｐｉへの変換は、読取り装置１の副走査メカ変倍により行うこととする。
【００７４】
階調処理部３４は、モノクロ８ｂｉｔの画像データを受け取ると、ＦＡＸ装置で送受される階調処理能力に従った階調数変換処理を行う。第２の実施の形態では、単純２値化法を用いて２値に階調数を変換する。
【００７５】
バス制御装置３は、第１の画像データ処理装置２からの画像データを受け取ると、ＣＰＵ６を介してメモリ７に蓄積する。このメモリ７に蓄積された画像データは、ＣＰＵ６および回線Ｉ／Ｆ装置１１を介して、デジタル複合機１００の外部に送信される。
【００７６】
＜リモートスキャンサービスを利用する場合＞
ユーザは、原稿を読取り装置１にセットし、ＰＣ１６からの遠隔操作により外部Ｉ／Ｆ装置１２を介してリモートスキャンサービス開始の指示を行う。デジタル複合機１００では、これを受けて機器内部で制御コマンドデータに変換して発行する。発行された制御コマンドデータは、ＰＣＩ−Ｅｘｐｒｅｓｓバスを介してＣＰＵ６に通知される。
【００７７】
ＣＰＵ６は、リモートスキャンサービス開始の制御コマンドデータに従って、サービスプロセスのプログラムを実行し、画像データを流すパス（経路）と画像処理の処理内容を決定する。このリモートスキャンサービスは、上記した「（１）の第１の画像データ処理装置２のみで画像処理を施す場合」と決定する。以下に、その動作プロセスを説明する。
【００７８】
図１の読取り装置１で原稿をスキャンして得られたＲＧＢの各８ｂｉｔのデジタル画像データは、第１の画像データ処理装置２でユーザから指定された出力先や出力条件等に適した画像処理を施し、バス制御装置３に送られる。
【００７９】
図２に示すように、第１の画像データ処理装置２のγ変換部３０では、読取り装置１から受け取ったＲＧＢ画像データの明るさの特性が適切となるように変換する。第２の実施の形態では、明度がリニアな特性となるように変換する。
【００８０】
フィルタ処理部３１は、ＲＧＢ画像データの鮮鋭性をリモートスキャンする場合の再現性が良くなるように補正する。具体的には、所望するモード情報に従って鮮鋭化／平滑化処理を施す。例えば、文字モードでは、文字をハッキリ／クッキリとするために鮮鋭化処理を施し、写真モードでは、滑らかに階調性を表現するために平滑化処理を施すようにする。
【００８１】
色変換部３２は、ＲＧＢの各８ｂｉｔのデータを受け取ると指定される色空間に変換する。第２の実施の形態では、ｓＲＧＢ色空間に各色８ｂｉｔで変換する。
【００８２】
変倍処理部３３は、モノクロ画像データのサイズ（解像度）を、ＰＣ１６へ送信するサイズ（解像度）に変換する。第２の実施の形態では、主走査方向＝２００ｄｐｉに変換する。なお、副走査方向＝２００ｄｐｉへの変換は、読取り装置１の副走査メカ変倍により行うこととする。
【００８３】
階調処理部３４では、指定されたスキャナ配信で送受される階調処理能力に従った階調数変換処理が行われる。第２実施の形態では、ＲＧＢの各８ｂｉｔの１６万色が指定されたものとして、階調処理は特に実施しない。
【００８４】
バス制御装置３は、第１の画像データ処理装置２からの画像データを受け取ると、ＣＰＵ６を介してメモリ７に蓄積する。このメモリ７に蓄積された画像データは、ＣＰＵ６お
よび外部Ｉ／Ｆ装置１２を介して、デジタル複合機１００の外部に送信される。
【００８５】
以上説明したように、第２の実施の形態によれば、第１の画像データ処理装置２のみで画像処理を施すように制御することにより、機能性を損なうことなく出力スループット（生産性）を向上させることが可能となる。
【００８６】
また、第２の実施の形態によれば、第２の画像データ処理装置４を使用しないように制御することにより、第２の画像データ処理装置４側の動作状況の影響を受けることなく安定した生産性を得ることが可能となる。その反対に、第１の画像データ処理装置２を長い時間占有するケースであっても、第２の画像データ処理装置４側は、その影響を受けない。例えば、この第２の実施の形態において、相手機とリアルタイムに交信しながら滞りなく出力したいサービス（ＦＡＸ直接送信サービス）や、リモート操作等により読取り装置１を占有したいサービス（リモートスキャンサービス）等において、デジタル複合機１００としての機能・性能を十分に引き出すことが可能となる。
【００８７】
（第３の実施の形態）
第３の実施の形態では、読取り装置１で読み取った画像データを複数に出力するサービスとして、コピー、スキャナ配信、ＦＡＸ送信の同時利用等がこれに相当する。これらのうち、第３の実施の形態では、「コピーしながらスキャナ配信するサービス」を利用する場合の動作について説明する。
【００８８】
＜コピーしながらスキャナ配信するサービス＞
図１に示すように、ユーザは原稿を読取り装置１にセットし、所望するモード等の設定と、コピーしながらスキャナ配信するサービス開始の入力を操作表示装置１０を用いて行う。
【００８９】
操作表示装置１０は、ユーザから入力された情報を機器内部の制御コマンドデータに変換して発行する。発行された制御コマンドデータは、ＰＣＩ−Ｅｘｐｒｅｓｓバスを介してＣＰＵ６に通知される。
【００９０】
ＣＰＵ６は、コピーしながらスキャナ配信するサービス開始の制御コマンドデータに従って、サービスプロセスのプログラムを実行し、画像データを流すパス（経路）と画像処理の処理内容を決定する。このコピーしながらスキャナ配信するサービスは、上記した、「（２）の第１の画像データ処理装置２と第２の画像データ処理装置４の両者を組み合わせて画像処理を施す場合」と決定する。以下に、その動作プロセスを説明する。
【００９１】
図２に示す第１の画像データ処理装置２のγ変換部３０は、読取り装置１から受け取ったＲＧＢ画像データの明るさを予め定めた特性に統一する。第３の実施の形態では、明度がリニアな特性となるように変換する。
【００９２】
フィルタ処理部３１は、ＲＧＢ画像データの鮮鋭性を予め定めた特性に統一する。第３の実施の形態では、予め定めたＭＴＦ特性値になるように変換する。
【００９３】
色変換部３２は、ＲＧＢ画像データの色を予め定めた特性に統一する。第３の実施の形態では、例えば、色空間がＡｄｏｂｅ社で定義されるＡｄｏｂｅ−ＲＧＢ色空間になるように変換する。
【００９４】
変倍処理部３３は、ＲＧＢ画像データのサイズ（解像度）を予め定めた特性に統一する。第３の実施の形態では、サイズ（解像度）を６００ｄｐｉ（等倍）に変換する。そして、図１のバス制御装置３は、第１の画像データ処理装置２からのＲＧＢ画像データを受け
取ると、ＣＰＵ６を介してメモリ７に蓄積する。ここまでの処理は、「コピー」、「スキャナ配信」の両者に対して共通であり、以降の処理は出力毎にそれぞれ行われる。
【００９５】
＜コピーの場合＞
メモリ７に蓄積されたＲＧＢ画像データは、第２の画像データ処理装置４を介してプロッタ装置９に出力され、原稿のコピーが生成される。
【００９６】
図３は、第２の画像データ処理装置における各処理ブロック例を示す図である。図３に示すように、第２の画像データ処理装置４は、フィルタ処理部５０、色変換部５１、変倍処理部５２、および階調処理部５３などを備えている。
【００９７】
まず、フィルタ処理部５０は、ＲＧＢ画像データの鮮鋭性を、プロッタ装置９に出力する場合の再現性が良くなるように補正する。具体的には、所望するモード情報に従って鮮鋭化／平滑化処理を施す。例えば、文字モードでは、文字をハッキリ／クッキリとするために鮮鋭化処理を施し、写真モードでは、滑らかに階調性を表現するために平滑化処理を施すようにする。
【００９８】
色変換部５１は、ＲＧＢ各８ｂｉｔのデータを受け取ると、プロッタ装置用の色空間であるＣＭＹＫの各８ｂｉｔに変換する。この時、ユーザが所望するモード情報に従って彩度もあわせて調整する。
【００９９】
変倍処理部５２は、ＣＭＹＫの画像データのサイズ（解像度）をプロッタ装置９の再現性能に従ってサイズ（解像度）変換を行う。第３の実施の形態では、プロッタ装置９の性能が６００ｄｐｉ出力であるため、特に変換は行わない。
【０１００】
階調処理部５３では、ＣＭＹＫの各８ｂｉｔを受け取ると、プロッタ装置９の階調処理能力に従った階調数変換処理が行われる。第３の実施の形態では、ＣＭＹＫの各２ｂｉｔに疑似中間調処理の一つである誤差拡散法を用いて階調数を変換する。
【０１０１】
＜スキャナ配信の場合＞
メモリ７に蓄積されたＲＧＢ画像データは、第２の画像データ処理装置４を介して外部Ｉ／Ｆ装置１２に出力され、スキャナ配信が行われる。
【０１０２】
図３に示すように、第２の画像データ処理装置４のフィルタ処理部５０は、ＲＧＢ画像データの鮮鋭性をスキャナ配信する場合の再現性が良くなるように補正する。具体的には、所望するモード情報に従って鮮鋭化／平滑化処理を施す。例えば、文字モードでは、文字をハッキリ／クッキリとするために鮮鋭化処理を施し、写真モードでは、滑らかに階調性を表現するために平滑化処理を施すようにする。
【０１０３】
色変換部５１は、ＲＧＢの各８ｂｉｔのデータを受け取ると、指定される色空間に変換する。第３の実施の形態では、ｓＲＧＢ色空間に各色８ｂｉｔで変換する。
【０１０４】
変倍処理部５２は、ｓＲＧＢ画像データのサイズ（解像度）を指定されたスキャナ配信で送受されるサイズ（解像度）に変換する。第３の実施の形態では、主走査：２００ｄｐｉ×副走査：２００ｄｐｉに変換するようにした。
【０１０５】
階調処理部５３では、指定されたスキャナ配信で送受される階調処理能力に従った階調数変換処理が行われる。第３の実施の形態では、ＲＧＢの各８ｂｉｔの１６万色が指定されたものとして、階調処理は特に実施しない。
【０１０６】
以上説明したように、第３の実施の形態によれば、第１の画像データ処理装置２では複数種類の出力に対して共通の画像処理を施すように制御して、特性を統一した画像データを生成し、第２の画像データ処理装置４では各出力に対して適した画像処理をそれぞれ施すように制御することにより、１回の読取り動作で複数に出力することが可能となる。つまり、機能性を損なうことなく生産性を向上させることが可能となる。例えば、ある原稿をコピーとスキャナ配信を同時に行いたい場合などがこれに該当する。
【０１０７】
（第４の実施の形態）
第４の実施の形態では、読取り装置１で読み取った画像データの蓄積モードを再利用性重視モードとし、ＨＤＤ５に恒久蓄積しながら出力するサービスとしては、コピー＋Ｄ−ＢＯＸ、スキャナ配信＋Ｄ−ＢＯＸ、ＦＡＸ送信＋Ｄ−ＢＯＸ等がこれに相当する。これらのうち、第４の実施の形態では、「コピー＋Ｄ−ＢＯＸ」を利用する場合の動作について説明する。
【０１０８】
＜コピー＋Ｄ−ＢＯＸサービスを利用する場合＞
ユーザは原稿を読取り装置１にセットし、蓄積モード選択手段である操作表示装置１０を用いて蓄積モードを再利用性重視モードとし、その他の所望するモード等の設定を行い、コピー＋Ｄ−ＢＯＸサービス開始の入力を操作表示装置１０に対して行う。
【０１０９】
操作表示装置１０は、ユーザから入力された情報を機器内部の制御コマンドデータに変換して発行する。発行された制御コマンドデータは、ＰＣＩ−Ｅｘｐｒｅｓｓバスを介してＣＰＵ６に通知される。
【０１１０】
ＣＰＵ６は、コピー＋Ｄ−ＢＯＸサービス開始の制御コマンドデータに従って、サービスプロセスのプログラムを実行し、画像データを流すパス（経路）と画像処理の処理内容を決定する。コピー＋Ｄ−ＢＯＸサービスは、上記した「（２）の第１の画像データ処理装置２と第２の画像データ処理装置４の両者を組み合わせて画像処理を施す場合」と決定する。以下に、その動作プロセスを説明する。
【０１１１】
図２に示すように、第１の画像データ処理装置２のγ変換部３０は、読取り装置１から受け取ったＲＧＢ画像データの明るさを予め定めた特性に統一する。第４の実施の形態では、明度がリニアな特性となるように変換する。
【０１１２】
フィルタ処理部３１は、ＲＧＢ画像データの鮮鋭性を予め定めた特性に統一する。第４の実施の形態では、予め定めたＭＴＦ特性値になるように変換する。
【０１１３】
色変換部３２は、ＲＧＢ画像データの色を予め定めた特性に統一する。第４の実施の形態では、色空間がＡｄｏｂｅ社で定義されるＡｄｏｂｅ−ＲＧＢ色空間になるように変換する。
【０１１４】
変倍処理部３３は、ＲＧＢ画像データのサイズ（解像度）を予め定めた特性に統一する。第４の実施の形態では、サイズ（解像度）を６００ｄｐｉに変換する。
【０１１５】
バス制御装置３は第１の画像データ処理装置２からのＲＧＢ画像データを受け取ると、ＣＰＵ６を介してメモリ７に蓄積する。メモリ７に蓄積されたＲＧＢ画像データは、ＣＰＵ６およびバス制御装置３を介して、ＨＤＤ５に送信され、再利用性が高い画像データとしてＨＤＤ５内に恒久蓄積される。
【０１１６】
そして、メモリ７内のＲＧＢ画像データは、第２の画像データ処理装置４を介してプロッタ装置９に出力され、原稿のコピーが生成される。
【０１１７】
次に、図３に示す第２の画像データ処理装置４のフィルタ処理部５０は、ＲＧＢ画像データの鮮鋭性を、プロッタ装置９に出力する場合の再現性が良くなるように補正する。具体的には、所望するモード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０１１８】
色変換部５１は、ＲＧＢの各８ｂｉｔのデータを受け取るとプロッタ装置用の色空間であるＣＭＹＫの各８ｂｉｔに変換する。このとき、ユーザが所望するモード情報に従って彩度もあわせて調整する。
【０１１９】
変倍処理部５２は、ＣＭＹＫ画像データのサイズ（解像度）をプロッタ装置９の再現性能に従ってサイズ（解像度）変換を行う。第４の実施の形態では、プロッタ装置９の性能が６００ｄｐｉ出力であるため、特に変換は行わない。
【０１２０】
階調処理部５３では、ＣＭＹＫの各８ｂｉｔを受け取ると、プロッタ装置９の階調処理能力に従った階調数変換処理が行われる。第４の実施の形態では、ＣＭＹＫの各２ｂｉｔに疑似中間調処理の一つである誤差拡散法を用いて階調数を変換する。
【０１２１】
以上説明したように、第４の実施の形態によれば、第１の画像データ処理装置２と第２の画像データ処理装置４の両者を組み合わせて、適切な画像処理を施すように制御し、特性を統一した画像データを恒久蓄積することによって、恒久蓄積した画像データを出力するサービスを利用する際に、蓄積時点とは異なる条件であっても機能的な制約を受けることなく、高画質を維持しながら出力することが可能となる。つまり、再利用性の高い画像データを恒久蓄積することが可能となる。
【０１２２】
（第５の実施の形態）
第５の実施の形態では、読取り装置１で読み取った画像データの蓄積モードを生産性重視モードとし、ＨＤＤ５に恒久蓄積しながら出力するサービスとしては、コピー＋Ｄ−ＢＯＸ、スキャナ配信＋Ｄ−ＢＯＸ、ＦＡＸ送信＋Ｄ−ＢＯＸ等がこれに相当する。これらのうち、第５の実施の形態では、「スキャナ配信＋Ｄ−ＢＯＸ」を利用する場合の動作について説明する。
【０１２３】
＜スキャナ配信＋Ｄ−ＢＯＸサービスを利用する場合＞
ユーザは原稿を読取り装置１にセットし、蓄積モード選択手段である操作表示装置１０を用いて蓄積モードを生産性重視モードとし、その他の所望するモード等の設定を行い、スキャナ配信＋Ｄ−ＢＯＸサービス開始の入力を操作表示装置１０に対して行う。
【０１２４】
操作表示装置１０は、ユーザから入力された情報を、機器内部の制御コマンドデータに変換して発行する。発行された制御コマンドデータは、ＰＣＩ−Ｅｘｐｒｅｓｓバスを介してＣＰＵ６に通知される。
【０１２５】
ＣＰＵ６は、スキャナ配信＋Ｄ−ＢＯＸサービス開始の制御コマンドデータに従って、サービスプロセスのプログラムを実行し、画像データを流すパス（経路）と画像処理の処理内容を決定する。スキャナ配信＋Ｄ−ＢＯＸサービスの場合は、上記した「（１）の第１の画像データ処理装置２のみで画像処理を施す場合」と決定する。以下に、その動作プロセスを説明する。
【０１２６】
図１の読取り装置１で原稿をスキャンして得られたＲＧＢの各８ｂｉｔのデジタル画像データは、第１の画像データ処理装置２によりユーザから指定された出力先や出力条件等
に適した画像処理が施され、バス制御装置３に送られる。
【０１２７】
図２に示すように、第１の画像データ処理装置２のγ変換部３０は、読取り装置１から受け取ったＲＧＢ画像データの明るさの特性を適切に変換する。第５の実施の形態では、明度がリニアな特性となるように変換する。
【０１２８】
フィルタ処理部３１は、ＲＧＢ画像データの鮮鋭性をスキャナ配信する場合の再現性が良くなるように補正する。具体的には、所望するモード情報に従って鮮鋭化／平滑化処理を施す。例えば、文字モードでは、文字をハッキリ／クッキリとするために鮮鋭化処理を施し、写真モードでは、滑らかに階調性を表現するための平滑化処理が施される。
【０１２９】
色変換部３２は、ＲＧＢの各８ｂｉｔのデータを受け取ると、指定される色空間に変換する。第５の実施の形態では、ｓＲＧＢ色空間に各色８ｂｉｔで変換する。
【０１３０】
変倍処理部３３は、モノクロ画像データのサイズ（解像度）をＰＣ１６に送信するサイズ（解像度）に変換する。第５の実施の形態では、主走査方向＝２００ｄｐｉに変換する。なお、副走査方向＝２００ｄｐｉへの変換は、読取り装置１の副走査メカ変倍により行うこととする。
【０１３１】
階調処理部３４では、指定されたスキャナ配信で送受される階調処理能力に従った階調数変換処理が行われる。第５の実施の形態では、ＲＧＢの各８ｂｉｔの１６万色が指定されたものとして、階調処理は特に実施しない。
【０１３２】
バス制御装置３は、第１の画像データ処理装置２からの画像データを受け取ると、ＣＰＵ６を介してメモリ７に蓄積する。メモリ７に蓄積された画像データは、ＣＰＵ６およびバス制御装置３を介して、ＨＤＤ５に送信され、ＨＤＤ５内に恒久蓄積される。
【０１３３】
続いて、メモリ７に蓄積された画像データは、ＣＰＵ６および外部Ｉ／Ｆ装置１２を介して、デジタル複合機１００の外部へ送信される。
【０１３４】
以上説明したように、第５の実施の形態によれば、第１の画像データ処理装置２のみで適切な画像処理を施すように制御することで、機能性を損なうことなく出力スループット（生産性）を向上させることが可能となる。
【０１３５】
また、第５の実施の形態によれば、恒久蓄積した画像データを出力するサービスを利用する際に、蓄積時点と同じ条件であれば機能的な制約なしに高画質を維持しながら出力することが可能なため、限定された範囲内での再利用性も考慮することができる。また、第５の実施の形態のように、低解像度へ変換する場合には、副走査メカ変倍と合わせることにより、さらなる生産性の向上も見込むことができる。
【０１３６】
（第６の実施の形態）
第６の実施の形態では、ＨＤＤ５に恒久蓄積された画像データを出力するサービスとして、Ｄ−ＢＯＸ出力サービスがあるが、ここでは上記第４の実施の形態のように、「恒久蓄積した画像データを外部機器へ配信するサービス」を利用した場合の動作について説明する。その理由は、“コピーしながら恒久蓄積したものを外部機器へ配信する”という出力先や出力条件が全く異なる場合の再利用例であるため、効果が分かり易いからである。
【０１３７】
＜恒久蓄積した画像データを外部機器へ配信するサービスを利用した場合＞
ユーザは、ＨＤＤ５に恒久蓄積された画像データを選択すると共に、その他の所望するモード等を設定し、外部機器への配信サービス開始の入力を操作表示装置１０に対して行
う。
【０１３８】
図１の操作表示装置１０は、ユーザから入力された情報を機器内部の制御コマンドデータに変換して発行する。発行された制御コマンドデータは、ＰＣＩ−Ｅｘｐｒｅｓｓバスを介してＣＰＵ６に通知される。ＣＰＵ６は、外部機器への配信サービス開始の制御コマンドデータに従って、サービスプロセスのプログラムを実行し、画像データを流すパス（経路）と画像処理の処理内容を決定する。外部機器への配信サービスは、上記した「（３）の第２の画像データ処理装置４のみで画像処理を施す場合」と決定する。以下に、その動作プロセスを説明する。
【０１３９】
上記第４の実施の形態において、ＨＤＤ５内に恒久蓄積された画像データは、ＣＰＵ６およびバス制御装置３を介してメモリ７に送信される。メモリ７に蓄積された画像データは、第２の画像データ処理装置４を介して外部Ｉ／Ｆ装置１２に出力され、配信される。
【０１４０】
図３に示すように、第２の画像データ処理装置４のフィルタ処理部５０は、ＲＧＢ画像データの鮮鋭性をスキャナ配信する場合の再現性が良くなるように補正する。具体的には、所望するモード情報に従って鮮鋭化／平滑化処理を施す。例えば、文字モードでは、文字をハッキリ／クッキリとするために鮮鋭化処理を施し、写真モードでは、滑らかに階調性を表現するため平滑化処理を施すようにする。
【０１４１】
色変換部５１は、ＲＧＢの各８ｂｉｔのデータを受け取ると、指定される色空間に変換する。第６の実施の形態では、ｓＲＧＢ色空間に各色８ｂｉｔで変換する。
【０１４２】
変倍処理部５２は、ｓＲＧＢ画像データのサイズ（解像度）を指定された外部機器への配信で送受されるサイズ（解像度）に変換する。第６の実施の形態では、主走査：２００ｄｐｉ×副走査：２００ｄｐｉに変換している。
【０１４３】
階調処理部５３では、指定された外部機器への配信で送受される階調処理能力に従った階調数変換処理が行われる。第６の実施の形態では、ＲＧＢの各８ｂｉｔの１６万色が指定されたものとして、階調処理は特に実施しない。
【０１４４】
以上説明したように、第６の実施の形態によれば、機能性を損なうことなく生産性を向上させることができる。特に、第６の実施の形態によれば、第２の画像データ処理装置４のみで画像処理を施すように制御するため、第１の画像データ処理装置２側の動作状況の影響を受けることなく安定した生産性を得ることができる。
【０１４５】
（第７の実施の形態）
第７の実施の形態においては、上記第２の実施の形態で説明したＦＡＸ直接送信サービス、あるいはリモートスキャンサービスの利用中（第１の画像データ処理装置２のみで画像処理する場合）に、上記第６の実施の形態で説明した恒久蓄積した画像データを外部機器へ配信するサービスを利用する場合（第２の画像データ処理装置４のみで画像処理する場合）、あるいは、その逆として、恒久蓄積した画像データを外部機器へ配信するサービスの利用中（第２の画像データ処理装置４のみで画像処理する場合）に、ＦＡＸ直接送信サービスやリモートスキャンサービスを利用する場合（第１の画像データ処理装置２のみで画像処理する場合）である。
【０１４６】
つまり、第２の実施の形態で説明したサービスの場合は、第１の画像データ処理装置２のみで画像処理が施され、第６の実施の形態で説明したサービスの場合は、第２の画像データ処理装置４のみで画像処理が施されるため、両方のサービスを並行動作させたとしても機能性が損なわれることがなく、生産性を維持することができる。
【０１４７】
第７の実施の形態の場合は、例えばＦＡＸ直接送信サービスの利用中に、ＨＤＤ５に恒久蓄積された画像データを外部機器へ配信するサービスを利用する場合を例にあげて説明する。
【０１４８】
第７の実施の形態にかかるデジタル複合機１００は、読取り装置１で読み取った画像データを出力するサービスとして、ＦＡＸ直接送信サービスを利用する。まず、ユーザは原稿を読取り装置１にセットし、所望するモード等の設定と、ＦＡＸ直接送信サービス開始の入力を操作表示装置１０に対して行う。操作表示装置１０は、ユーザから入力された情報を、機器内部の制御コマンドデータに変換し発行する。発行された制御コマンドデータは、ＰＣＩ−Ｅｘｐｒｅｓｓバスを介してＣＰＵ６に通知される。
【０１４９】
ＣＰＵ６は、ＦＡＸ直接送信サービス開始の制御コマンドデータに従って、サービスプロセスのプログラムを実行し、画像データを流すパス（経路）と画像処理の処理内容を決定する。このＦＡＸ直接送信サービスは、上記（１）の第１の画像データ処理装置２のみで画像処理を施す場合と決定する。
【０１５０】
図１の読取り装置１で原稿をスキャンする前に、回線Ｉ／Ｆ装置１１を介して相手機であるＦＡＸ１５とネゴシエーションすることにより、相手機の装置能力情報を取得した後に読取り装置１により原稿のスキャンが開始される。
【０１５１】
読取り装置１で原稿をスキャンして得られたＲＧＢ各８ｂｉｔのデジタル画像データは、第１の画像データ処理装置２でユーザから指定された出力先や出力条件等に適した画像処理を施し、バス制御装置３に送られる。
【０１５２】
図２に示す第１の画像データ処理装置２のγ変換部３０は、読取り装置１から受け取ったＲＧＢ画像データの明るさの特性が適切となるように変換する。第７の実施の形態では、明度がリニアな特性となるように変換する。
【０１５３】
フィルタ処理部３１は、ＲＧＢ画像データの鮮鋭性をＦＡＸ送信する場合の再現性が良くなるように補正する。具体的には、所望するモード情報に従って鮮鋭化／平滑化処理を施す。例えば、文字モードでは、文字をハッキリ／クッキリとするために鮮鋭化処理を施し、写真モードでは、滑らかに階調性を表現するために平滑化処理を施すようにする。
【０１５４】
色変換部３２は、ＲＧＢの各８ｂｉｔのデータを受け取るとＦＡＸ装置で一般的な単色（モノクロ）８ｂｉｔに変換する。
【０１５５】
変倍処理部３３は、モノクロ画像データのサイズ（解像度）を、ＦＡＸ装置で送受されるサイズ（解像度）に変換する。第７の実施の形態では、主走査方向＝２００ｄｐｉに変換する。なお、副走査方向＝１００ｄｐｉへの変換は、読取り装置１の副走査メカ変倍により行うこととする。
【０１５６】
階調処理部３４では、モノクロ８ｂｉｔを受け取ると、ＦＡＸ装置で送受される階調処理能力に従った階調数変換処理を行う。第７の実施の形態では、単純２値化法を用いて２値に階調数を変換する。
【０１５７】
バス制御装置３は、第１の画像データ処理装置２からの画像データを受け取ると、ＣＰＵ６を介してメモリ７に蓄積する。このメモリ７に蓄積された画像データは、ＣＰＵ６および回線Ｉ／Ｆ装置１１を介して、デジタル複合機１００の外部に送信される。
【０１５８】
第７の実施の形態では、このＦＡＸ直接送信サービスの利用中に、ＨＤＤ５に恒久蓄積された画像データを外部機器へ配信するサービスが利用される。まず、ユーザは、ＨＤＤ５に恒久蓄積された画像データを選択すると共に、その他の所望するモード等を設定し、外部機器への配信サービス開始の入力を操作表示装置１０に対して行う。
【０１５９】
図１の操作表示装置１０は、ユーザから入力された情報を機器内部の制御コマンドデータに変換して発行する。発行された制御コマンドデータは、ＰＣＩ−Ｅｘｐｒｅｓｓバスを介してＣＰＵ６に通知される。ＣＰＵ６は、外部機器への配信サービス開始の制御コマンドデータに従って、サービスプロセスのプログラムを実行し、画像データを流すパス（経路）と画像処理の処理内容を決定する。外部機器への配信サービスは、上記した（３）の第２の画像データ処理装置４のみで画像処理を施す場合と決定する。
【０１６０】
ＨＤＤ５内に恒久蓄積された画像データは、ＣＰＵ６およびバス制御装置３を介してメモリ７に送信される。メモリ７に蓄積された画像データは、第２の画像データ処理装置４を介して外部Ｉ／Ｆ装置１２に出力され、配信される。
【０１６１】
図３に示すように、第２の画像データ処理装置４のフィルタ処理部５０は、ＲＧＢ画像データの鮮鋭性をスキャナ配信する場合の再現性が良くなるように補正する。具体的には、所望するモード情報に従って鮮鋭化／平滑化処理を施す。例えば、文字モードでは、文字をハッキリ／クッキリとするために鮮鋭化処理を施し、写真モードでは、滑らかに階調性を表現するため平滑化処理を施すようにする。
【０１６２】
色変換部５１は、ＲＧＢの各８ｂｉｔのデータを受け取ると、指定される色空間に変換する。第６の実施の形態では、ｓＲＧＢ色空間に各色８ｂｉｔで変換する。
【０１６３】
変倍処理部５２は、ｓＲＧＢ画像データのサイズ（解像度）を指定された外部機器への配信で送受されるサイズ（解像度）に変換する。第６の実施の形態では、主走査：２００ｄｐｉ×副走査：２００ｄｐｉに変換している。
【０１６４】
階調処理部５３では、指定された外部機器への配信で送受される階調処理能力に従った階調数変換処理が行われる。第７の実施の形態では、ＲＧＢの各８ｂｉｔの１６万色が指定されたものとして、階調処理は特に実施しない。
【０１６５】
以上説明したように、第７の実施の形態によれば、読み取った画像を出力する第２の実施の形態のサービスを第１の画像データ処理装置２のみを使って画像処理を施している最中に、恒久蓄積された画像を出力する第６の実施の形態のサービスを第２の画像データ処理装置２のみを使って画像処理を施すことができる。このため、相互の動作状況に影響を受けることなく並行動作を行うことが可能となる。つまり、２つの異なるサービスを並行動作させたとしても、機能性を損なうことなく生産性を維持することが可能となる。
【０１６６】
なお、第７の実施の形態では、上記例とは反対に、恒久蓄積された画像を出力する第６の実施の形態のサービスを第２の画像データ処理装置２のみを使って画像処理を施している最中に、読み取った画像を出力する第２の実施の形態のサービスを第１の画像データ処理装置２のみを使って画像処理を施すことも勿論可能である。この場合も上記例と同様に機能性を損なうことなく生産性を維持することができる。
【図面の簡単な説明】
【０１６７】
【図１】本発明の実施の形態にかかるデジタル複合機のハードウェア構成例を示すブロック図である。
【図２】第１の画像データ処理装置における各処理ブロック例を示す図である。
【図３】第２の画像データ処理装置における各処理ブロック例を示す図である。
【符号の説明】
【０１６８】
１  読取り装置
２  第１の画像データ処理装置
３  バス制御装置
４  第２の画像データ処理装置
５  ＨＤＤ
６  ＣＰＵ
７  メモリ
８  プロッタＩ／Ｆ装置
９  プロッタ装置
１０  操作表示装置
１１  回線Ｉ／Ｆ装置
１２  外部Ｉ／Ｆ装置
１３  Ｓ．Ｂ．
１４  ＲＯＭ
３０  γ変換部
３１  フィルタ処理部
３２  色変換部
３３  変倍処理部
３４  階調処理部
５０  フィルタ処理部
５１  色変換部
５２  変倍処理部
５３  階調処理部
１００  デジタル複合機（ＭＦＰ） 
【図１】
2010004460.tif 000003
【図２】
2010004460.tif 000004
【図３】
2010004460.tif 000005